(57)【要約】【課題】  簡便に入退場を管理可能なシステムを提供する。【解決手段】  本発明の第１の入退場管理システムは、ユーザの顔画像を取得する顔画像取得手段と、登録ユーザの認証用顔画像を記憶する記憶手段と、前記顔画像と前記認証用顔画像とを照合する顔照合手段と、前記ユーザのエリアへの入退場情報を記録する記録手段と、前記記録手段に記録された前記入退場情報に基づいて、前記ユーザのエリアへの入退場を管理する管理手段と、を備え、前記顔照合手段により、前記ユーザの顔画像と、前記登録ユーザの認証用顔画像とが一致すると判定された場合、前記記録手段は、前記ユーザの入退場情報を記録することを特徴とする。【選択図】  図１
2017215737.tif 000002
【特許請求の範囲】
【請求項１】
ユーザの顔画像を取得する顔画像取得手段と、
登録ユーザの認証用顔画像を記憶する記憶手段と、
前記顔画像と前記認証用顔画像とを照合する顔照合手段と、
前記ユーザのエリアへの入退場情報を記録する記録手段と、
前記記録手段に記録された前記入退場情報に基づいて、前記ユーザのエリアへの入退場を管理する管理手段と、
を備え、
前記顔照合手段により、前記ユーザの顔画像と、前記登録ユーザの認証用顔画像とが一致すると判定された場合、
前記記録手段は、前記ユーザの入退場情報を記録する
ことを特徴とする入退場管理システム。
【請求項２】
前記入退場情報が、入退場の有無、入退場の時間および入退場の回数からなる群から選択された少なくとも一つである、請求項１記載の入退場管理システム。
【請求項３】
前記管理手段は、前記入退場情報に基づいて、前記ユーザのエリアへの出欠を管理する、請求項１または２記載の入退場管理システム。
【請求項４】
前記エリアが、喫煙エリアである、請求項１から３のいずれか一項に記載の入退場管理システム。
【請求項５】
さらに、前記エリアへの入室制御手段を有し、
前記顔照合手段により、前記ユーザの顔画像と、前記登録ユーザの認証用顔画像とが一致すると判定され、且つ、
前記入退場管理手段により、前記記録手段に記録された前記ユーザの入退場情報が、所定条件から外れると判定された場合、
前記入室制御手段は、前記エリアへの入場口をロックする、または、アラートを出力する、請求項４記載の入退場管理システム。
【請求項６】
ユーザの顔画像を取得する顔画像取得手段と、
登録ユーザの認証用顔画像を記憶する記憶手段と、
前記顔画像と前記認証用顔画像とを照合する顔照合手段と、
前記ユーザのエリアへの入場または退場を制御する入退場制御手段と、
を備え、
前記顔照合手段により、前記ユーザの顔画像と、前記登録ユーザの認証用顔画像とが一致すると判定された場合、
前記入退場制御手段は、前記エリアへの入退場口をロックする、または、アラートを出力する
ことを特徴とする入退場管理システム。
【請求項７】
前記登録ユーザが、前記エリア外への入退場が制限されている者である、請求項６記載の入退場管理システム。
【請求項８】
ユーザの顔画像を取得する顔画像取得手段と、
登録ユーザの認証用顔画像を記憶する記憶手段と、
前記顔画像と前記認証用顔画像とを照合する顔照合手段と、
前記ユーザのエリアへの入場を制御する入場制御手段と、
を備え、
前記顔照合手段により、前記ユーザの顔画像と、前記登録ユーザの認証用顔画像とが一致すると判定された場合、
前記入場制御手段は、前記エリアへの入退場口のロックを解除し、
前記顔照合手段により、前記ユーザの顔画像と、前記登録ユーザの認証用顔画像とが一致しないと判定された場合、
前記入場制御手段は、前記エリアへの入退場口のロックを解除しない
ことを特徴とする入場管理システム。
【請求項９】
さらに、アラート手段を有し、
前記顔照合手段により、前記ユーザの顔画像と、前記登録ユーザの認証用顔画像とが一致しないと判定された場合、
前記アラート手段は、前記アラートを出力する、請求項８記載の入場管理システム。
【請求項１０】
前記エリアが、家であり、前記入退場口が、玄関である、請求項８または９記載の入場管理システム。
【請求項１１】
情報データベースと、
ユーザの顔画像を取得する顔画像取得手段と、
登録ユーザの認証用顔画像を記憶する記憶手段と、
前記顔画像と前記認証用顔画像とを照合する顔照合手段と、
を備え、
前記顔照合手段により、前記ユーザの顔画像と、前記登録ユーザの認証用顔画像とが一致すると判断された場合、前記情報データベースへのアクセスのロックを解除し、
前記顔照合手段により、前記ユーザの顔画像と、前記登録ユーザの認証用顔画像とが一致しないと判断された場合、前記情報データベースへのアクセスのロックを解除しないことを特徴とするデータベースへのアクセス管理システム。
【請求項１２】
さらに、ユーザ情報の入力手段と、ユーザ情報判定手段とを備え、
前記記憶手段は、さらに、前記登録ユーザの登録ユーザ情報を記憶し、
前記ユーザ情報判定手段は、前記入力されたユーザ情報と、前記登録ユーザ情報とが一致するか否かを判定する手段であり、
前記ユーザ情報判定手段において、前記ユーザ情報と前記登録ユーザ情報とが一致すると判定され、且つ、前記顔照合手段により、前記ユーザの顔画像と、前記登録ユーザの認証用顔画像とが一致すると判断された場合、前記情報データベースへのアクセスのロックを解除し、
前記ユーザ情報判定手段において、前記ユーザ情報と前記登録ユーザ情報とが一致しないと判定された場合、または、前記顔照合手段により、前記ユーザの顔画像と、前記登録ユーザの認証用顔画像とが一致しないと判断された場合、前記情報データベースへのアクセスのロックを解除しない、請求項１１記載のデータベースへのアクセス管理システム。
【請求項１３】
情報データベースと、
ユーザの顔画像を取得する顔画像取得手段と、
登録ユーザの認証用顔画像を記憶する記憶手段と、
前記顔画像と前記認証用顔画像とを照合する顔照合手段と、
を備え、
前記顔照合手段により、前記ユーザの顔画像と、前記登録ユーザの認証用顔画像とが一致すると判断された場合、前記情報データベースの出力を解除し、
前記顔照合手段により、前記ユーザの顔画像と、前記登録ユーザの認証用顔画像とが一致しないと判断された場合、前記情報データベースの出力を解除しないことを特徴とするデータベースへのアクセス管理システム。
【請求項１４】
さらに、ユーザ情報の入力手段と、ユーザ情報判定手段とを備え、
前記記憶手段は、さらに、前記登録ユーザの登録ユーザ情報を記憶し、
前記ユーザ情報判定手段は、前記入力されたユーザ情報と、前記登録ユーザ情報とが一致するか否かを判定する手段であり、
前記ユーザ情報判定手段において、前記ユーザ情報と前記登録ユーザ情報とが一致すると判定され、且つ、前記顔照合手段により、前記ユーザの顔画像と、前記登録ユーザの認証用顔画像とが一致すると判断された場合、前記情報データベースの出力を解除し、
前記ユーザ情報判定手段において、前記ユーザ情報と前記登録ユーザ情報とが一致しないと判定された場合、または、前記顔照合手段により、前記ユーザの顔画像と、前記登録ユーザの認証用顔画像とが一致しないと判断された場合、前記情報データベースの出力を解除しない、請求項１３記載のデータベースへのアクセス管理システム。
【請求項１５】
情報データベースと、
ユーザの顔画像を取得する顔画像取得手段と、
登録ユーザの認証用顔画像を記憶する記憶手段と、
前記顔画像と前記認証用顔画像とを照合する顔照合手段と、
前記ユーザの前記情報データベースへのアクセスを記録する記録手段と、
を備え、
前記顔照合手段により、前記ユーザの顔画像と、前記登録ユーザの認証用顔画像とが一致すると判断された場合、
前記記録手段は、前記ユーザの前記情報データベースへのアクセスを登録ユーザ情報として記録し、
前記顔照合手段により、前記ユーザの顔画像と、前記登録ユーザの認証用顔画像とが一致しないと判断された場合、
前記記録手段は、前記ユーザの前記情報データベースへのアクセスを非登録ユーザ情報として記録することを特徴とするデータベースへのアクセス管理システム。
【請求項１６】
さらに、ユーザ情報の入力手段と、ユーザ情報判定手段とを備え、
前記記憶手段は、さらに、前記登録ユーザの登録ユーザ情報を記憶し、
前記ユーザ情報判定手段は、前記入力されたユーザ情報と、前記登録ユーザ情報とが一致するか否かを判定する手段であり、
前記ユーザ情報判定手段において、前記ユーザ情報と前記登録ユーザ情報とが一致すると判定され、且つ、前記顔照合手段により、前記ユーザの顔画像と、前記登録ユーザの認証用顔画像とが一致すると判断された場合、
前記記録手段は、前記ユーザの前記情報データベースへのアクセスを登録ユーザ情報として記録し、
前記ユーザ情報判定手段において、前記ユーザ情報と前記登録ユーザ情報とが一致しないと判定された場合、または、前記顔照合手段により、前記ユーザの顔画像と、前記登録ユーザの認証用顔画像とが一致しないと判断された場合、
前記記録手段は、前記ユーザの前記情報データベースへのアクセスを非登録ユーザ情報として記録する、請求項１５記載のデータベースへのアクセス管理システム。
【発明の詳細な説明】
【技術分野】
【０００１】
本発明は、入退場管理システムに関する。
【背景技術】
【０００２】
従来から、セキュリティエリアの入退場管理システムとして、ＩＤカードによる認証を行い、入退場の履歴を記録するシステムが用いられている（例えば、特許文献１参照）。
【先行技術文献】
【特許文献】
【０００３】
【特許文献１】特開２０１０−３１４６６号公報
【発明の概要】
【発明が解決しようとする課題】
【０００４】
しかしながら、ＩＤカードによる認証は、使いまわしや、紛失した際に第三者による悪用の可能性がある等の問題点があった。また、入退場管理を簡便とする新たな手法が求められていた。
【０００５】
そこで、本発明は、簡便に入退場管理が可能な入退場管理システムの提供を目的とする。
【課題を解決するための手段】
【０００６】
前記目的を達成するために、本発明の第１の入退場管理システムは、
ユーザの顔画像を取得する顔画像取得手段と、
登録ユーザの認証用顔画像を記憶する記憶手段と、
前記顔画像と前記認証用顔画像とを照合する顔照合手段と、
前記ユーザのエリアへの入退場情報を記録する記録手段と、
前記記録手段に記録された前記入退場情報に基づいて、前記ユーザのエリアへの入退場を管理する管理手段と、
を備え、
前記顔照合手段により、前記ユーザの顔画像と、前記登録ユーザの認証用顔画像とが一致すると判定された場合、
前記記録手段は、前記ユーザの入退場情報を記録する
ことを特徴とする。
【０００７】
本発明の第２の入退場管理システムは、
ユーザの顔画像を取得する顔画像取得手段と、
登録ユーザの認証用顔画像を記憶する記憶手段と、
前記顔画像と前記認証用顔画像とを照合する顔照合手段と、
前記ユーザのエリアへの入場または退場を制御する入退場制御手段と、
を備え、
前記顔照合手段により、前記ユーザの顔画像と、前記登録ユーザの認証用顔画像とが一致すると判定された場合、
前記入退場制御手段は、前記エリアへの入退場口をロックする、または、アラートを出力する
ことを特徴とする。
【０００８】
本発明の第３の入場管理システムは、
ユーザの顔画像を取得する顔画像取得手段と、
登録ユーザの認証用顔画像を記憶する記憶手段と、
前記顔画像と前記認証用顔画像とを照合する顔照合手段と、
前記ユーザのエリアへの入場を制御する入場制御手段と、
を備え、
前記顔照合手段により、前記ユーザの顔画像と、前記登録ユーザの認証用顔画像とが一致すると判定された場合、
前記入場制御手段は、前記エリアへの入退場口のロックを解除し、
前記顔照合手段により、前記ユーザの顔画像と、前記登録ユーザの認証用顔画像とが一致しないと判定された場合、
前記入場制御手段は、前記エリアへの入退場口のロックを解除しない
ことを特徴とする。
【発明の効果】
【０００９】
本発明の入退場管理システムによれば、簡便に入退場の管理が可能である。
【図面の簡単な説明】
【００１０】
【図１】図１は、本発明の入退場管理システムの構成の一例を示す模式図である。
【発明を実施するための形態】
【００１１】
＜入退場に関する管理システム＞
本発明の第１の入退場管理システムは、例えば、前記入退場情報が、入退場の有無、入退場の時間および入退場の回数からなる群から選択された少なくとも一つである。
【００１２】
本発明の第１の入退場管理システムは、例えば、前記管理手段は、前記入退場情報に基づいて、前記ユーザのエリアへの出欠を管理する。
【００１３】
本発明の第１の入退場管理システムは、例えば、前記エリアが、喫煙エリアである。
【００１４】
本発明の第１の入退場管理システムは、例えば、さらに、前記エリアへの入室制御手段を有し、前記顔照合手段により、前記ユーザの顔画像と、前記登録ユーザの認証用顔画像とが一致すると判定され、且つ、前記入退場管理手段により、前記記録手段に記録された前記ユーザの入退場情報が、所定条件から外れると判定された場合、前記入室制御手段は、前記エリアへの入場口をロックする、または、アラートを出力する。
【００１５】
本発明の第２の入退場管理システムは、例えば、前記登録ユーザが、前記エリア外への入退場が制限されている者である。
【００１６】
本発明の第３の入場管理システムは、例えば、さらに、アラート手段を有し、前記顔照合手段により、前記ユーザの顔画像と、前記登録ユーザの認証用顔画像とが一致しないと判定された場合、前記アラート手段は、前記アラートを出力する。
【００１７】
本発明の第３の入場管理システムは、例えば、前記エリアが、家であり、前記入退場口が、玄関である。
【００１８】
（１）第１の管理システム
本発明の第１の管理システムは、入退場管理システムであり、前述のように、ユーザの顔画像を取得する顔画像取得手段と、登録ユーザの認証用顔画像を記憶する記憶手段と、前記顔画像と前記認証用顔画像とを照合する顔照合手段と、前記ユーザのエリアへの入退場情報を記録する記録手段と、前記記録手段に記録された前記入退場情報に基づいて、前記ユーザのエリアへの入退場を管理する管理手段と、を備え、前記顔照合手段により、前記ユーザの顔画像と、前記登録ユーザの認証用顔画像とが一致すると判定された場合、前記記録手段は、前記ユーザの入退場情報を記録することを特徴とする。本発明の第１の管理システムにおいて、その他の構成および条件は、特に制限されない。
【００１９】
本発明の第１の入退場管理システムによれば、例えば、簡便にユーザの入退場を管理できる。また、ＩＤカードによる認証とは異なり、例えば、他人のなりすましができないため、入退場の管理を適切に行うことができる。
【００２０】
図１は、本発明の入退場管理システムの構成の一例を示す模式図である。図示のように、本例の入退場管理システムにおいて、エリア１は、例えば、部屋であり、顔画像取得手段１１と、記憶手段１２と、顔照合手段１３とを備える。
【００２１】
図１では、エリア１として、部屋を例示したが、本発明の入退場管理システムにおいて、エリアは、部屋に限定されない。本発明の入退場管理システムにおいて、エリアは、例えば、喫煙室、教室、サーバールーム等の部屋であってもよいし、家、遊園地、ショッピングモール、スポーツジム、スポーツ会場、コンサート会場、株主総会会場、サウナ、ゴルフ場、宿泊施設、タクシー、駅等であってもよい。
【００２２】
顔画像取得手段１１は、ユーザの顔画像を取得する。顔画像取得手段１１としては、特に制限されず、例えば、カメラ等があげられる。エリア１における顔画像取得手段１１の設置箇所は、特に制限されず、前記ユーザの顔画像が取得可能な適宜の位置に設置すればよく、前記ユーザのエリア１への入場を管理する場合、顔画像取得手段１１は、例えば、エリアの入口に設置すればよく、前記ユーザのエリア１からの退場を管理する場合、顔画像取得手段１１は、例えば、エリアの出口に設置すればよく、前記ユーザのエリア１への入場および退場の両方を管理する場合、顔画像取得手段１１は、例えば、エリアの入口および出口に設置すればよい。
【００２３】
記憶手段１２は、登録ユーザの認証用顔画像を記憶する。記憶手段１２としては、特に制限されず、例えば、データベース、サーバ、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。記憶手段１２の設置箇所は、特に制限されず、任意の位置に設置可能であり、例えば、エリア１の内部に設置してもよいし、エリア１の外部に設置してもよい。
【００２４】
前記登録ユーザは、一人であってもよいし、複数人であってもよい。複数人である場合、前記登録ユーザの数は、特に制限されない。
【００２５】
顔照合手段１３は、前記顔画像と前記認証用顔画像とを照合する。顔照合手段１３としては、特に制限されず、例えば、中央処理装置（ＣＰＵ）等があげられる。顔照合手段１３の設置箇所は、記憶手段１２と同様である。
【００２６】
顔照合手段１３による照合方法に特に制限はなく、例えば、前記顔画像と前記認証用顔画像との類似度計算による方法、目、鼻、口等の特徴点の距離の比や、前記特徴点を結んだ線の向き等の特徴量を用いる方法等、従来公知の顔認証方法を用いて良い。
【００２７】
顔照合手段１３において、前記顔照合手段により、前記ユーザの顔画像と、前記登録ユーザの認証用顔画像とが一致すると判定された場合、前記記録手段は、前記ユーザの入退場情報を記録する。
【００２８】
本発明の第１の入退場管理システムにおいて、前記入退場情報は、例えば、入退場の有無、入退場の時間および入退場の回数からなる群から選択された少なくとも一つである。
【００２９】
本発明の第１の入退場管理システムは、例えば、前記管理手段が、前記入退場情報に基づいて、前記ユーザのエリアへの出欠を管理する。前記出欠の管理は、例えば、入場から退場までの時間が所定時間以上であれば出席とすることにより行うことができる。
【００３０】
本発明の第１の入退場管理システムは、例えば、前記エリアが、喫煙エリアである。
【００３１】
本発明の第１の入退場管理システムは、例えば、さらに、前記エリアへの入室制御手段を備えていることが好ましい。本発明の第１の入退場管理システムは、例えば、前記顔照合手段により、前記ユーザの顔画像と、前記登録ユーザの認証用顔画像とが一致すると判定され、且つ、前記入退場管理手段により、前記記録手段に記録された前記ユーザの入退場情報が、所定条件から外れると判定された場合、前記入室制御手段は、前記エリアへの入場口をロックする、または、アラートを出力する。このため、例えば、ユーザが、所定条件から外れて入場することを、簡便に抑止することができる。
【００３２】
前記所定条件は、例えば、一日の利用可能時間、一日の利用可能回数、一回の利用可能時間等があげられる。
【００３３】
前記アラートの出力は、例えば、アラームでもよいし、警告の表示でもよい。前記警告は、例えば、入退場口等のモニターに表示してもよいし、通信網を介して接続可能な端末に表示してもよい。
【００３４】
本発明の第１の入退場管理システムは、例えば、さらに、前記入室制御手段が、所定のユーザに対して、所定の期間において、入場口をロックする、または、アラートを出力するようにしてもよい。これにより、例えば、ユーザが、入場を禁止されている期間において入場することを、簡便に抑止することができる。
【００３５】
本発明の第１の入退場管理システムは、例えば、前記顔照合手段により、前記ユーザの顔画像と、前記登録ユーザの認証用顔画像とが一致すると判定され、且つ、前記入退場管理手段により、前記記録手段に記録された前記ユーザの入退場情報が、所定条件から外れると判定された場合、前記入室制御手段は、前記エリアの退場口をロックする、または、アラートを出力する。このため、例えば、ユーザが、所定条件から外れて退場することを、簡便に抑止することができる。
【００３６】
本発明の第１の入退場管理システムは、例えば、さらに、ユーザの指紋画像を取得する指紋画像取得手段と、前記指紋画像と前記認証用指紋画像とを照合する指紋照合手段と、を備え、前記記憶手段が、さらに、前記登録ユーザの認証用指紋画像を記憶してもよい。本発明の第１の入退場管理システムは、例えば、前記顔照合手段および前記指紋照合手段の両方において、前記ユーザが前記登録ユーザであると判定されたときは、前記記録手段は、前記ユーザの入退場情報を記録する。このため、より判定の精度を増すことができる。
【００３７】
前記指紋画像取得手段は、例えば、一般的なスキャナ等を使用することができる。前記指紋画像取得手段は、例えば、エリア１の外部インターホンが備えてもよい。
【００３８】
前記指紋照合手段は、例えば、前述の顔照合手段と同様である。
【００３９】
本発明の第１の入退場管理システムは、例えば、さらに、その他の認証システムを備えていてもよい。前記その他の認証システムは、例えば、機械的なキー、ＩＤカード、および、携帯端末等によるキーレスエントリーシステムである。このようなその他の認証システムを併用することにより、例えば、さらに、判定の精度を増すことができ、セキュリティをより強固にすることができる。
【００４０】
（２）第２の管理システム
本発明の第２の管理システムは、入退場管理システムである。本発明の第２の管理システムについて、以下に、具体的に説明する。なお、特に示さない限り、前記第１の管理システムの記載を援用できる。
【００４１】
本発明の第２の入退場管理システムは、前述のように、ユーザの顔画像を取得する顔画像取得手段と、登録ユーザの認証用顔画像を記憶する記憶手段と、前記顔画像と前記認証用顔画像とを照合する顔照合手段と、前記ユーザのエリアへの入場または退場を制御する入退場制御手段と、を備え、前記顔照合手段により、前記ユーザの顔画像と、前記登録ユーザの認証用顔画像とが一致すると判定された場合、前記入退場制御手段は、前記エリアへの入退場口をロックする、または、アラートを出力することを特徴とする。本発明の第２の入退場管理システムにおいて、その他の構成および条件は、特に制限されない。
【００４２】
本発明の第２の入退場管理システムによれば、例えば、前記登録ユーザが前記エリアへの入退場口を通過することが好ましくない場合に、前記通過を簡便に抑止することができる。したがって、例えば、前記エリアからの退場が好ましくない者が退場すること、および、前記エリアへの入場を禁止されている者が入場することを防ぐことができる。
【００４３】
本発明において、前記登録ユーザは、例えば、前記エリア外への入退場が制限されている者である。具体的には、前記登録ユーザは、例えば、施設内で迷子になった子供、病院からの出入りが制限されている患者等である。
【００４４】
本発明において、前記登録ユーザは、例えば、前記エリア内への入退場が制限されている者である。具体的には、前記登録ユーザは、例えば、過去に、迷惑行為、不正行為等を行ったことがある者である。
【００４５】
（３）第３の管理システム
本発明の第３の管理システムは、登録ユーザの認証用顔画像とユーザの顔画像とが一致する時に、入退場口のロックを解除する入場管理システムである。本発明の第３の管理システムについて、以下に、具体的に説明する。なお、特に示さない限り、前記第１および第２の管理システムの記載を援用できる。
【００４６】
本発明の第３の入場管理システムは、前述のように、ユーザの顔画像を取得する顔画像取得手段と、登録ユーザの認証用顔画像を記憶する記憶手段と、前記顔画像と前記認証用顔画像とを照合する顔照合手段と、前記ユーザのエリアへの入場を制御する入場制御手段と、を備え、前記顔照合手段により、前記ユーザの顔画像と、前記登録ユーザの認証用顔画像とが一致すると判定された場合、前記入場制御手段は、前記エリアへの入退場口のロックを解除し、前記顔照合手段により、前記ユーザの顔画像と、前記登録ユーザの認証用顔画像とが一致しないと判定された場合、前記入場制御手段は、前記エリアへの入退場口のロックを解除しないことを特徴とする。本発明の第３の入場管理システムにおいて、その他の構成および条件は、特に制限されない。
【００４７】
本発明の第３の入場管理システムによれば、例えば、鍵を使用してロックを解除する場合と異なり、両手が使えない状況でもロックを解除可能であり、鍵を紛失することもなく、また、鍵を増やしたい場合でも、実際に鍵を作製する必要がない。
【００４８】
本発明の第３の入場管理システムは、例えば、さらに、アラート手段を有し、前記顔照合手段により、前記ユーザの顔画像と、前記登録ユーザの認証用顔画像とが一致しないと判定された場合、前記アラート手段は、前記アラートを出力する。
【００４９】
前記アラートの出力は、例えば、前述のアラートの出力と同様である。前記アラートは、例えば、前記ユーザの顔画像を含んでもよい。前記アラートの出力先は、例えば、通信網を介して接続可能な端末でもよい。これにより、例えば、不審者の情報を、管理者、警備会社等に通報することができる。
【００５０】
本発明の第３の入場管理システムは、例えば、前記エリアが、家であり、前記入退場口が、玄関である。
【００５１】
本発明の第３の入場管理システムは、例えば、さらに、通知手段を備え、前記記憶手段が、さらに、前記登録ユーザのプロフィールを記憶し、前記顔照合手段により、前記ユーザの顔画像と、前記登録ユーザの認証用顔画像とが一致すると判定された場合、前記通知手段が、前記登録ユーザのプロフィールをエリア内に通知してもよい。これにより、例えば、前記登録ユーザがエリア内に入場する前に、エリア内の人が、前記ユーザが誰であるかを知ることができる。また、例えば、前記登録ユーザの情報を、エリア内の人の間で共有することができる。
【００５２】
前記プロフィールは、例えば、お父さん、友達、宅配便である。
【００５３】
前記プロフィールの通知は、例えば、音声による通知である。前記通知は、例えば、通信網を介して接続可能な端末に通知してもよい。
【００５４】
本発明の第３の入場管理システムは、例えば、前記入場制御手段が、所定のユーザに対して、所定の期間においてのみ、前記エリアへの入退場口のロックを解除するようにしてもよい。これにより、例えば、所定のユーザに対して、直接鍵を手渡すことなく、前記エリアへの入場を許可することが可能である。
【００５５】
本発明の第３の入場管理システムは、例えば、前記顔画像取得手段により取得されたユーザの顔画像を、新たな登録ユーザの認証用顔画像として、前記記憶手段により記憶させてもよい。これにより、登録されていないユーザであっても、ロック解除してよい新たなユーザであれば、次回からの顔照合により、ロックの解除が可能になる。
【００５６】
（４）第４の管理システム
本発明の第４の管理システムは、登録ユーザの認証用顔画像とユーザの顔画像とが一致する時に、入退場口のロックを解除しない入場管理システムである。つまり、本発明の第４の管理システムは、前記第３の管理システムとは反対に、不審者等を登録ユーザとして認証用顔画像を記録し、入場をブロックするシステムである。本発明の第４の管理システムについて、以下に、具体的に説明する。なお、特に示さない限り、前記第３の管理システムの記載を援用できる。
【００５７】
本発明の第４の入場管理システムは、ユーザの顔画像を取得する顔画像取得手段と、
登録ユーザの認証用顔画像を記憶する記憶手段と、前記顔画像と前記認証用顔画像とを照合する顔照合手段と、前記ユーザのエリアへの入場を制御する入場制御手段と、を備え、前記顔照合手段により、前記ユーザの顔画像と、前記登録ユーザの認証用顔画像とが一致すると判定された場合、前記入場制御手段は、前記エリアへの入退場口のロックを解除しないことを特徴とする入場管理システムである。
【００５８】
本発明の第４の入場管理システムによれば、例えば、不審者、押し売り者等の入場を防止することができる。
【００５９】
なお、本発明の入場管理システムは、例えば、第３の管理システムと第４の管理システムの両方の機能を共存させてもよい。この場合、前記記録手段は、例えば、登録ユーザの認証用顔画像に、前記登録ユーザのプロフィールを関連付けて記憶させる。前記プロフィールは、例えば、ロック解除可能またはロック解除不可との情報が含まれる。そして、前記顔照合手段により、前記ユーザの顔画像と、前記登録ユーザの認証用顔画像とが一致すると判定され、且つ、前記登録ユーザのプロフィールがロック解除可能である場合、前記入場制御手段は、前記エリアへの入退場口のロックを解除し、前記ユーザの顔画像と、前記登録ユーザの認証用顔画像とが一致すると判定され、且つ、前記登録ユーザのプロフィールがロック解除不可である場合、前記入場制御手段は、前記エリアへの入退場口のロックを解除しない。
【００６０】
このようなシステムによれば、例えば、入場可能の登録ユーザのみにロックの解除を行い、入場不可の登録ユーザに対しては、ロックの解除を行わず、入場を防止することができる。これにより、例えば、子どもが留守番をしている際に、不審者に対して中から鍵を開けてしまうことを防ぐことができる。
【００６１】
＜データベースへのアクセスに関する管理システム＞
従来から、情報データベースへのアクセスの管理システムとして、ＩＤとパスワードの組合せ等のアカウントを使用し、認証を行うシステムが用いられている。
【００６２】
しかしながら、アカウントによる認証は、アカウントの使い回しや、なりすましが可能である等の問題点があった。また、アクセスの管理を簡便とする新たな手法が求められていた。
【００６３】
そこで、本発明は、簡便に情報データベースへのアクセス管理が可能なアクセス管理システムの提供を目的とする。
【００６４】
本発明の第１のアクセス管理システムは、
情報データベースと、
ユーザの顔画像を取得する顔画像取得手段と、
登録ユーザの認証用顔画像を記憶する記憶手段と、
前記顔画像と前記認証用顔画像とを照合する顔照合手段と、
を備え、
前記顔照合手段により、前記ユーザの顔画像と、前記登録ユーザの認証用顔画像とが一致すると判断された場合、前記情報データベースへのアクセスのロックを解除し、
前記顔照合手段により、前記ユーザの顔画像と、前記登録ユーザの認証用顔画像とが一致しないと判断された場合、前記情報データベースへのアクセスのロックを解除しないことを特徴とする。
【００６５】
本発明の第２のアクセス管理システムは、
情報データベースと、
ユーザの顔画像を取得する顔画像取得手段と、
登録ユーザの認証用顔画像を記憶する記憶手段と、
前記顔画像と前記認証用顔画像とを照合する顔照合手段と、
を備え、
前記顔照合手段により、前記ユーザの顔画像と、前記登録ユーザの認証用顔画像とが一致すると判断された場合、前記情報データベースの出力を解除し、
前記顔照合手段により、前記ユーザの顔画像と、前記登録ユーザの認証用顔画像とが一致しないと判断された場合、前記情報データベースの出力を解除しないことを特徴とする。
【００６６】
本発明の第３のアクセス管理システムは、
情報データベースと、
ユーザの顔画像を取得する顔画像取得手段と、
登録ユーザの認証用顔画像を記憶する記憶手段と、
前記顔画像と前記認証用顔画像とを照合する顔照合手段と、
前記ユーザの前記情報データベースへのアクセスを記録する記録手段と、
を備え、
前記顔照合手段により、前記ユーザの顔画像と、前記登録ユーザの認証用顔画像とが一致すると判断された場合、
前記記録手段は、前記ユーザの前記情報データベースへのアクセスを登録ユーザ情報として記録し、
前記顔照合手段により、前記ユーザの顔画像と、前記登録ユーザの認証用顔画像とが一致しないと判断された場合、
前記記録手段は、前記ユーザの前記情報データベースへのアクセスを非登録ユーザ情報として記録することを特徴とする。
【００６７】
本発明によれば、例えば、ユーザによる情報データベースへのアクセスを簡便に管理できる。また、アカウントによる認証とは異なり、例えば、他人のなりすましができないため、情報データベースへのアクセス管理を適切に行うことができる。
【００６８】
本発明の第１のアクセス管理システムは、例えば、さらに、ユーザ情報の入力手段と、ユーザ情報判定手段とを備え、前記記憶手段は、さらに、前記登録ユーザの登録ユーザ情報を記憶し、前記ユーザ情報判定手段は、前記入力されたユーザ情報と、前記登録ユーザ情報とが一致するか否かを判定する手段であり、前記ユーザ情報判定手段において、前記ユーザ情報と前記登録ユーザ情報とが一致すると判定され、且つ、前記顔照合手段により、前記ユーザの顔画像と、前記登録ユーザの認証用顔画像とが一致すると判断された場合、前記情報データベースへのアクセスのロックを解除し、前記ユーザ情報判定手段において、前記ユーザ情報と前記登録ユーザ情報とが一致しないと判定された場合、または、前記顔照合手段により、前記ユーザの顔画像と、前記登録ユーザの認証用顔画像とが一致しないと判断された場合、前記情報データベースへのアクセスのロックを解除しない。
【００６９】
本発明の第２のアクセス管理システムは、例えば、さらに、ユーザ情報の入力手段と、ユーザ情報判定手段とを備え、前記記憶手段は、さらに、前記登録ユーザの登録ユーザ情報を記憶し、前記ユーザ情報判定手段は、前記入力されたユーザ情報と、前記登録ユーザ情報とが一致するか否かを判定する手段であり、前記ユーザ情報判定手段において、前記ユーザ情報と前記登録ユーザ情報とが一致すると判定され、且つ、前記顔照合手段により、前記ユーザの顔画像と、前記登録ユーザの認証用顔画像とが一致すると判断された場合、前記情報データベースの出力を解除し、前記ユーザ情報判定手段において、前記ユーザ情報と前記登録ユーザ情報とが一致しないと判定された場合、または、前記顔照合手段により、前記ユーザの顔画像と、前記登録ユーザの認証用顔画像とが一致しないと判断された場合、前記情報データベースの出力を解除しない。
【００７０】
本発明の第３のアクセス管理システムは、例えば、さらに、ユーザ情報の入力手段と、ユーザ情報判定手段とを備え、前記記憶手段は、さらに、前記登録ユーザの登録ユーザ情報を記憶し、前記ユーザ情報判定手段は、前記入力されたユーザ情報と、前記登録ユーザ情報とが一致するか否かを判定する手段であり、前記ユーザ情報判定手段において、前記ユーザ情報と前記登録ユーザ情報とが一致すると判定され、且つ、前記顔照合手段により、前記ユーザの顔画像と、前記登録ユーザの認証用顔画像とが一致すると判断された場合、前記記録手段は、前記ユーザの前記情報データベースへのアクセスを登録ユーザ情報として記録し、前記ユーザ情報判定手段において、前記ユーザ情報と前記登録ユーザ情報とが一致しないと判定された場合、または、前記顔照合手段により、前記ユーザの顔画像と、前記登録ユーザの認証用顔画像とが一致しないと判断された場合、前記記録手段は、前記ユーザの前記情報データベースへのアクセスを非登録ユーザ情報として記録する。
【００７１】
（１）第１のアクセス管理システム
本発明の第１のアクセス管理システムについて、以下に、具体的に説明する。なお、特に示さない限り、前記第１から第４の管理システムの記載を援用できる。
【００７２】
本発明の第１のアクセス管理システムは、情報データベースと、ユーザの顔画像を取得する顔画像取得手段と、登録ユーザの認証用顔画像を記憶する記憶手段と、前記顔画像と前記認証用顔画像とを照合する顔照合手段と、を備え、前記顔照合手段により、前記ユーザの顔画像と、前記登録ユーザの認証用顔画像とが一致すると判断された場合、前記情報データベースへのアクセスのロックを解除し、前記顔照合手段により、前記ユーザの顔画像と、前記登録ユーザの認証用顔画像とが一致しないと判断された場合、前記情報データベースへのアクセスのロックを解除しないことを特徴とする。本発明の第１のアクセス管理システムにおいて、その他の構成および条件は、特に制限されない。
【００７３】
本発明において、前記顔画像取得手段は、特に制限されず、例えば、カメラ等があげられる。前記顔画像取得手段の設置箇所は、特に制限されず、前記ユーザの顔画像が取得可能な適宜の位置に設置すればよく、前記顔画像取得手段は、例えば、前記情報データベースへのアクセスを行う情報端末に設置されていてもよいし、前記情報端末に設置されていなくてもよい。前者の場合、前記顔画像取得手段は、例えば、モニターに設置されてもよい。後者の場合、前記顔画像取得手段は、例えば、前記情報端末が置かれている部屋、サーバーラックに設置されてもよい。
【００７４】
本発明において、前記記憶手段および前記顔照合手段は、例えば、前述の本発明の入退場管理システムにおける前記記憶手段および前記顔照合手段と同様である。
【００７５】
本発明において、前記登録ユーザは、例えば、作業申請書が提出されている者である。本発明において、前記登録ユーザの数は、例えば、前述の本発明の入退場管理システムにおける前記登録ユーザの数と同様である。
【００７６】
本発明の第１のアクセス管理システムは、例えば、さらに、ユーザ情報の入力手段と、ユーザ情報判定手段とを備え、前記記憶手段は、さらに、前記登録ユーザの登録ユーザ情報を記憶し、前記ユーザ情報判定手段は、前記入力されたユーザ情報と、前記登録ユーザ情報とが一致するか否かを判定する手段であり、前記ユーザ情報判定手段において、前記ユーザ情報と前記登録ユーザ情報とが一致すると判定され、且つ、前記顔照合手段により、前記ユーザの顔画像と、前記登録ユーザの認証用顔画像とが一致すると判断された場合、前記情報データベースへのアクセスのロックを解除し、前記ユーザ情報判定手段において、前記ユーザ情報と前記登録ユーザ情報とが一致しないと判定された場合、または、前記顔照合手段により、前記ユーザの顔画像と、前記登録ユーザの認証用顔画像とが一致しないと判断された場合、前記情報データベースへのアクセスのロックを解除しない。
【００７７】
このようなシステムによれば、例えば、より判定の精度を増すことができる。
【００７８】
前記ユーザ情報は、例えば、ＩＤとパスワードの組合せがあげられる。
【００７９】
本発明の第１のアクセス管理システムは、例えば、さらに、前記顔照合手段が、所定期間ごとに、前記ユーザの顔画像と、前記登録ユーザの認証用顔画像とを照合し、前記ユーザの顔画像と、前記登録ユーザの認証用顔画像とが一致しないと判断された場合、前記ユーザによる前記情報データベースへのアクセスをロックしてもよい。これにより、前記登録ユーザ以外による前記情報データベースへのアクセスを、より防止できる。
【００８０】
前記所定期間は、例えば、数秒、数分である。
【００８１】
本発明の第１のアクセス管理システムは、例えば、さらに、アラート手段を有し、前記顔照合手段により、前記ユーザの顔画像と、前記登録ユーザの認証用顔画像とが一致しないと判定された場合、前記アラート手段は、アラートを出力する。これにより、例えば、不正アクセスを行ったユーザの情報を、管理者、警備会社等に通報することができる。
【００８２】
前記アラートの出力は、例えば、前述のアラートの出力と同様である。
【００８３】
本発明の第１のアクセス管理システムは、例えば、さらに、前記アクセス管理システムが設置されているエリアへの入退室制御手段を有し、前記顔照合手段により、前記ユーザの顔画像と、前記登録ユーザの認証用顔画像とが一致しないと判定された場合、前記入室制御手段は、前記エリアからの退場口をロックする。これにより、例えば、不正アクセスを行ったユーザが退場することを、簡便に抑止することができる。
【００８４】
（２）第２のアクセス管理システム
本発明の第２のアクセス管理システムについて、以下に、具体的に説明する。なお、特に示さない限り、前記第１のアクセス管理システムおよび前記第１から第４の管理システムの記載を援用できる。
【００８５】
本発明の第２のアクセス管理システムは、情報データベースと、ユーザの顔画像を取得する顔画像取得手段と、登録ユーザの認証用顔画像を記憶する記憶手段と、前記顔画像と前記認証用顔画像とを照合する顔照合手段と、を備え、前記顔照合手段により、前記ユーザの顔画像と、前記登録ユーザの認証用顔画像とが一致すると判断された場合、前記情報データベースの出力を解除し、前記顔照合手段により、前記ユーザの顔画像と、前記登録ユーザの認証用顔画像とが一致しないと判断された場合、前記情報データベースの出力を解除しないことを特徴とする。本発明の第２のアクセス管理システムにおいて、その他の構成および条件は、特に制限されない。
【００８６】
本発明によれば、例えば、情報データベースの出力による情報漏えいを簡便に防止することができる。
【００８７】
前記出力は、例えば、印刷、画面キャプチャ、外部メディアへのコピー、メールでの送付があげられる。
【００８８】
本発明の第２のアクセス管理システムは、例えば、さらに、ユーザ情報の入力手段と、ユーザ情報判定手段とを備え、前記記憶手段は、さらに、前記登録ユーザの登録ユーザ情報を記憶し、前記ユーザ情報判定手段は、前記入力されたユーザ情報と、前記登録ユーザ情報とが一致するか否かを判定する手段であり、前記ユーザ情報判定手段において、前記ユーザ情報と前記登録ユーザ情報とが一致すると判定され、且つ、前記顔照合手段により、前記ユーザの顔画像と、前記登録ユーザの認証用顔画像とが一致すると判断された場合、前記情報データベースの出力を解除し、前記ユーザ情報判定手段において、前記ユーザ情報と前記登録ユーザ情報とが一致しないと判定された場合、または、前記顔照合手段により、前記ユーザの顔画像と、前記登録ユーザの認証用顔画像とが一致しないと判断された場合、前記情報データベースの出力を解除しない。
【００８９】
（３）第３のアクセス管理システム
本発明の第３のアクセス管理システムについて、以下に、具体的に説明する。なお、特に示さない限り、前記第１および第２のアクセス管理システムならびに前記第１から第４の管理システムの記載を援用できる。
【００９０】
本発明の第３のアクセス管理システムは、情報データベースと、ユーザの顔画像を取得する顔画像取得手段と、登録ユーザの認証用顔画像を記憶する記憶手段と、前記顔画像と前記認証用顔画像とを照合する顔照合手段と、前記ユーザの前記情報データベースへのアクセスを記録する記録手段と、を備え、前記顔照合手段により、前記ユーザの顔画像と、前記登録ユーザの認証用顔画像とが一致すると判断された場合、前記記録手段は、前記ユーザの前記情報データベースへのアクセスを登録ユーザ情報として記録し、前記顔照合手段により、前記ユーザの顔画像と、前記登録ユーザの認証用顔画像とが一致しないと判断された場合、前記記録手段は、前記ユーザの前記情報データベースへのアクセスを非登録ユーザ情報として記録することを特徴とする。本発明の第３のアクセス管理システムにおいて、その他の構成および条件は、特に制限されない。
【００９１】
本発明によれば、例えば、ユーザによる情報データベースへのアクセスを簡便に記録できる。
【００９２】
本発明の第３のアクセス管理システムは、例えば、さらに、ユーザ情報の入力手段と、ユーザ情報判定手段とを備え、前記記憶手段は、さらに、前記登録ユーザの登録ユーザ情報を記憶し、前記ユーザ情報判定手段は、前記入力されたユーザ情報と、前記登録ユーザ情報とが一致するか否かを判定する手段であり、前記ユーザ情報判定手段において、前記ユーザ情報と前記登録ユーザ情報とが一致すると判定され、且つ、前記顔照合手段により、前記ユーザの顔画像と、前記登録ユーザの認証用顔画像とが一致すると判断された場合、前記記録手段は、前記ユーザの前記情報データベースへのアクセスを登録ユーザ情報として記録し、前記ユーザ情報判定手段において、前記ユーザ情報と前記登録ユーザ情報とが一致しないと判定された場合、または、前記顔照合手段により、前記ユーザの顔画像と、前記登録ユーザの認証用顔画像とが一致しないと判断された場合、前記記録手段は、前記ユーザの前記情報データベースへのアクセスを非登録ユーザ情報として記録する。
【００９３】
本発明のアクセス管理システムは、例えば、既知のワークフローシステムと連動させて用いることができる。この場合、例えば、前記ワークフローにおいて、情報データベースへのアクセスを行う作業申請書が提出されると、本発明のアクセス管理システムは、前記作業申請書の提出者を、前記登録ユーザと設定する。そして、前記ユーザが、前記情報データベースへアクセスすると、本発明のアクセス管理システムは、前記アクセスを登録ユーザ情報として記録する。その後、例えば、前記ワークフローシステムが、前記登録ユーザ情報と、前記作業申請書および作業後の報告書等の内容とを比較し、所定条件を外れる場合、アラートが出力されてもよい。このように、本発明のアクセス管理システムと既知のワークフローシステムとを連動させて用いることで、例えば、前記アクセス管理をほぼ自動化することができるため、例えば、業務効率の向上が期待できる。
【００９４】
以上、実施形態を参照して本発明を説明したが、本発明は、上記実施形態に限定されるものではない。本発明の構成や詳細には、本発明のスコープ内で当業者が理解しうる様々な変更をすることができる。
【産業上の利用可能性】
【００９５】
本発明によれば、簡便に入退場を管理可能なシステムを提供可能である。
【符号の説明】
【００９６】
１  エリア
１１  顔画像取得手段
１２  記憶手段
１３  顔照合手段
【図１】
2017215737.tif 000003